(57)【要約】【課題】周方向中央部の位置の把握を容易にし、２つの埋設物カバー体を連結するときの位置合せを容易にする。【解決手段】周方向中央部に半径方向外方に突出する突出部１３を形成し、周方向中央部の位置を目視によって把握できるようにする。また突出部１３を、外表面１３ａが残余の部分１４に比べて半径方向外方に凸となり、内表面１３ｂが残余の部分１４に比べて半径方向外方に凹となる形状に形成する。これによって２つの埋設物カバー体１０を、一方が他方に部分的に挿入される状態で連結するとき、内側に配置される埋設物カバー体１０の突出部１３を他方の埋設物カバー体１０の突出部１３に嵌まり込ませて位置合せし、かつこの状態からの変位を阻止することができる。【選択図】　　　図１
2004068941.tif 000002
【特許請求の範囲】
【請求項１】
地中に埋設される長手状の埋設物に装着され、この埋設物を外方から覆う埋設物カバー体であって、
軸線方向に垂直な断面形状が、周方向１ヵ所で分断される略Ｃ字状であり、周方向中央部に、半径方向外方に突出し、外表面が残余の部分に比べて半径方向外方に凸となり、内表面が残余の部分に比べて半径方向外方に凹となる突出部を有することを特徴とする埋設物カバー体。
【請求項２】
可撓性および弾発性を有する材料から成り、周方向両端部を相互に近接および離反可能に形成されることを特徴とする請求項１記載の埋設物カバー装置。
【請求項３】
複数の埋設物カバー体を、軸線方向に並べて埋設物に装着するとき、軸線方向に隣接する２つの埋設物カバー体は、いずれか一方がいずれか他方に部分的に挿入されて連結され、少なくともこの連結される部分において、埋設物を弾発的に挟持することを特徴とする請求項２記載の埋設物カバー体。
【請求項４】
中密度ポリエチレンから成ることを特徴とする請求項１〜３のいずれかに記載の埋設物カバー体。
【請求項５】
突出部の外表面は、滑らかな曲面に形成され、残余の部分の外表面に滑らかに連なり、
突出部の内表面は、滑らかな曲面に形成され、残余の部分の内表面に滑らかに連なることを特徴とする請求項１〜４のいずれかに記載の埋設物カバー体。
【発明の詳細な説明】
【０００１】
【発明の属する技術分野】
本発明は、たとえばガス管などの地中に埋設される埋設物を外方から覆って保護するための埋設物カバー体に関する。
【０００２】
【従来の技術】
図９は、従来の技術の埋設物カバー体１を示す斜視図である。埋設物カバー体１は、実公平８−７１９７に示されており、周方向１ヵ所に切欠き２が形成される略Ｃ字状であって、地中に埋設される埋設物に外方から覆う状態で装着され、埋設物を保護する。この埋設部カバー体１は、内周部に複数のリブ３が形成されるとともに、外周部に複数のリブ４が形成されている。また埋設物カバー体１は、塩化ビニールに耐衝撃性材料を混合した材料によって形成されている。
【０００３】
【発明が解決しようとする課題】
従来の技術の埋設物カバー体１は、周方向中央部の位置を把握しやすくする構成を有していない。内周部および外周部に複数のリブ３，４が形成されるが、これらリブ３，４は、補強のために形成されており、周方向の中央位置を把握しやすくするために形成されていない。さらに埋設物カバー体１は、２つの埋設物カバー体１を、一方の埋設物カバー体１が他方の埋設物カバー体１に部分的に挿入される状態で連結するとき、各埋設部物カバー体１周方向の位置合せを容易にする構成を有していない。また塩化ビニールを含む材料から成るので、焼却すると有毒ガスを発生してしまうので、廃棄処理が困難である。
【０００４】
本発明の目的は、周方向中央部の位置を容易に把握することができるとともに、２つの埋設物カバー体を連結するときに周方向の位置合せを容易にすることができる埋設物カバー体を提供することである。
また本発明の他の目的は、廃棄処理を容易にすることである。
【０００５】
【課題を解決するための手段】
請求項１記載の本発明は、地中に埋設される長手状の埋設物に装着され、この埋設物を外方から覆う埋設物カバー体であって、
軸線方向に垂直な断面形状が、周方向１ヵ所で分断される略Ｃ字状であり、周方向中央部に、半径方向外方に突出し、外表面が残余の部分に比べて半径方向外方に凸となり、内表面が残余の部分に比べて半径方向外方に凹となる突出部を有することを特徴とする埋設物カバー体である。
【０００６】
本発明に従えば、周方向中央部に半径方向外方に突出する突出部が形成され、この突出部によって、周方向中央部の位置を、目視によって容易に把握することができる。これによって埋設物カバー体を埋設物に装着するにあたって、埋設物カバー体の姿勢を容易に把握して、埋設物を保護するための好適な姿勢で埋設物に装着することができる。
【０００７】
また突出部は、外表面が残余の部分に比べて半径方向外方に凸となり、内表面が残余の部分に比べて半径方向外方に凹となる形状に形成されている。これによって２つの埋設物カバー体を、一方の埋設物カバー体が他方の埋設物カバー体に部分的に挿入される状態で連結して用いる場合に、内側に配置される一方の埋設物カバー体の突出部を他方の埋設物カバー体の突出部に嵌まり込ませることができる。これによって、２つの埋設物カバー体を、周方向に関して容易に位置合せし、かつこの状態からの周方向の変位を阻止することができる。
【０００８】
また内周面が凹となる突出部を形成することによって、埋設物カバー体の上部を埋設物から離間させることができる。これによって埋設物カバー体に上方から物体が衝突するなどして外力が働いても、この外力を埋設物に伝わりにくくすることができる。したがって高い保護性能を得ることができる。
【０００９】
請求項２記載の本発明は、可撓性および弾発性を有する材料から成り、周方向両端部を相互に近接および離反可能に形成されることを特徴とする。
【００１０】
本発明に従えば、可撓性および弾発性を有する材料から成り、周方向両端部を相互に近接および離反可能に形成されるので、２つの埋設物カバー体を、一方の埋設物カバー体が他方の埋設物カバー体に部分的に挿入される状態で容易に連結することができる。
【００１１】
請求項３記載の本発明は、複数の埋設物カバー体を、軸線方向に並べて埋設物に装着するとき、軸線方向に隣接する２つの埋設物カバー体は、いずれか一方がいずれか他方に部分的に挿入されて連結され、少なくともこの連結される部分において、埋設物を弾発的に挟持することを特徴とする。
【００１２】
本発明に従えば、２つの埋設物カバー体が、いずれか一方をいずれか他方に部分的に挿入して連結された状態で、少なくともこの連結される部分において、埋設物を弾発的に挟持することができる。これによって各埋設物カバー体を、埋設物に対して不所望に変位しないように装着することができる。
【００１３】
請求項４記載の本発明は、中密度ポリエチレンから成ることを特徴とする。
本発明に従えば、中密度ポリエチレンから成る。中密度ポリエチレンは、成形が容易であり、再利用が容易である。これによって資源を無駄にすることなく、かつ容易に、埋設物カバー体を製造することができる。またポリエチレンは、焼却しても有毒ガスを発生することがなく、廃棄する場合に廃棄処理が容易になる。
【００１４】
請求項５記載の本発明は、突出部の外表面は、滑らかな曲面に形成され、残余の部分の外表面に滑らかに連なり、
突出部の内表面は、滑らかな曲面に形成され、残余の部分の内表面に滑らかに連なることを特徴とする。
【００１５】
本発明に従えば、突出部の外表面および内表面は、滑らかな曲面に形成され、かつ残余の部分に滑らかに連なって形成されるので、埋設物への装着時などに、外力が働いても、応力が集中することを防止することができる。
【００１６】
【発明の実施の形態】
図１は、本発明の実施の一形態の埋設物カバー体１０を示す正面図である。図２は、埋設物カバー体１０を示す平面図である。埋設物カバー体１０は、地中に埋設される長手状の埋設物１１に装着され、この埋設物１１を外方から覆って保護するカバー体である。この埋設物カバー体１０は、周方向一ヶ所に切欠き１２が形成され、この切欠き１２によって周方向１ヵ所で分断され、軸線方向に垂直な断面形状が略Ｃ字状である筒状体であり、この埋設物カバー体１０内を埋設物１１が挿通する状態で埋設物１１に外嵌される。
【００１７】
埋設物は、たとえばガスを輸送するガス管など、流体を輸送する輸送管であってもよいし、電力供給用および電気通信用のケーブルなどであってもよいし、その他の埋設物であってもよい。本実施の形態では、埋設物１１は、たとえば中密度ポリエチレンから成るガス管である。
【００１８】
この埋設物カバー体１０は、周方向中央部に、半径方向外方に突出する突出部１３を有する。突出部１３は、外表面１３ａが、突出部１３を除く残余の部分１４の外表面１４ａに比べて半径方向外方に凸となり、内表面１３ｂが、残余の部分１４の内表面１４ｂに比べて半径方向外方に凹となる形状に形成される。
【００１９】
突出部１３の外表面１３ａは、滑らかな曲面に形成され、残余の部分１４の外表面１４ａに滑らかに連なっている。突出部１３の内表面１３ｂは、滑らかな曲面に形成され、残余の部分１４の内表面１４ｂに滑らかに連なっている。
【００２０】
また埋設物カバー体１０は、内周部に、半径方向内方に突出する複数のリブ１５が形成され、外力に対して補強されている。本実施の形態では、６つのリブ１５が、突出部１３を除く残余の部分１４に、周方向両端部１７，１８と、埋設物カバー体１０を周方向に略５等分する位置とにそれぞれ形成される。
【００２１】
埋設物カバー体１０の寸法は、一例を挙げると、軸線方向の長さ寸法Ｌ１が約１０００ｍｍであり、突出部１３を除く残余の部分における外径Ｄ１が約６２ｍｍであり、突出部１３から周方向両端部１７，１８までの突出部１３を通る一直径線方向の寸法Ｄ２が約５５ｍｍである。また切欠き１２の幅寸法Ｗ１、したがって周方向両端部１７，１８間の間隔の寸法が、３１ｍｍである。さらにリブ１５が形成されていない部分の厚み寸法Ｔ１が４ｍｍであり、リブが形成される部分の厚み寸法Ｔ２が５．５ｍｍである。上記寸法は、一例であり、これに限定されることはないが、少なくとも、自然状態において、埋設物１１が緩やかに挿通される寸法であるとともに、切欠き１２の幅寸法Ｗ１が埋設物１１の外径Ｄ３より小さい寸法に形成される。
【００２２】
このような埋設物カバー体１０は、可撓性および弾発性を有する材料から成り、周方向両端部１７，１８を相互に近接および離反させるように変形可能に形成される。本実施の形態では、埋設物カバー体１０は、中密度ポリエチレンから成る。埋設物１１がガス管である場合、この埋設物１１は中密度ポリエチレンから成っており、埋設物１１を廃棄する場合に、これを再利用して埋設物カバー体１０を形成することができる。このように資源を有効利用することができる。
【００２３】
図３は、埋設物カバー体１０の埋設物１１への装着状態を簡略化して示す斜視図である。図４は、図３の切断面線Ｓ４−Ｓ４から見て示す断面図である。図５は、図３の切断面線Ｓ５−Ｓ５から見て示す断面図である。埋設物カバー体１０は、複数の埋設物カバー体１０を、軸線方向に並べた状態で、埋設物１１に装着される。
【００２４】
複数の埋設物カバー体１０を、軸線方向に並べて埋設物１１に装着するとき、軸線方向に隣接する２つの埋設物カバー体１０は、いずれか一方の埋設物カバー体１０がいずれか他方の埋設物カバー体１０に部分的に挿入されて連結される。連結される２つの埋設物カバー体１０は、連結部において内側に配置される埋設物カバー体１０の突出部１３が、連結部において外側に配置される埋設物カバー体１０の突出部１３に嵌まり込み、２つの埋設物カバー体１０が、周方向に関して切欠き１２の位置を一致させて位置決めすることができ、かつこのように位置合せした状態から不所望にずれてしまうことが防がれる。
【００２５】
このように連結するにあたって、各埋設物カバー体１０において、軸線方向一端部が他の埋設物カバー体１０に挿入され、軸線方向他端部にもう１つの他の埋設物カバー体１０が挿入される連結形態であってもよいし、軸線方向両端部が２つの他の埋設物カバー体１０に挿入される埋設物カバー体１０と、軸線方向両端部に２つの他の埋設物カバー体１０が挿入される埋設物カバー体１０とが、交互に配置される連結状態であってもよい。
【００２６】
埋設物カバー体１０は、前述のように連結されて埋設物１１に装着される。埋設物カバー体１０を埋設物１１に装着するにあたっては、周方向両端部１７，１８を相互に離反させるように弾性変形させて、切欠き１２をその幅寸法Ｗ１が埋設物１１の外径Ｄ３以上となるように広げ、この切欠き１２を介して埋設物１１を埋設物カバー体１０内に嵌まり込ませる。このようにして、埋設物カバー体１０が、埋設物１１を外方から覆う状態に装着される。埋設物カバー体１０は、埋設物１１への装着状態において、突出部１３が上部に配置され、切欠き１２が下部に配置される。
【００２７】
埋設物カバー体１０は、たとえば、埋設物１１の交換、補修および点検ための工事、ならびに埋設物１１に隣接して埋設される他の埋設物のための工事など、各種の工事において、建設機械などの機械およびその他の工具などが接触して埋設物１１が損傷してしまうことを防ぐために、埋設物１１に装着される。このように埋設物カバー体１０は、埋設物１１への機械および工具などの物体の接触を防ぐために用いる。前述のような工事において、機械および工具などの物体は、埋設物１１に対して、上方および側方から近づいてくる。したがって埋設物カバー体１０は、装着時に働く切欠き１２を下部に配置して、少なくとも、埋設物１１を上方および側方から覆う状態で設けられる。またこの状態で、突出部１３は、埋設物１１に対して離間している。
【００２８】
また埋設物カバー体１０には、突出物に、たとえば「この中にガス管あり」などの、埋設物１１の存在などの情報を報知する表示２０が、たとえば印刷によって形成されている。この表示２０は、情報を報知する効果に加えて、周方向中央位置をさらに容易に認識できるようにする効果も有する。
【００２９】
また埋設物カバー体１０は、２つの埋設物カバー体１０が前述のように連結されて、埋設物１１に装着された状態で、少なくともこの連結される部分において、埋設物１１を弾発的に挟持する寸法に形成されている。したがって埋設物カバー体１０は、埋設物１１に装着された状態で、埋設物１１を弾発的に挟持し、埋設物１１に対して、不所望に周方向に角変位してしまうことが防がれ、切欠き１２を下部に配置される状態を維持することができる。
【００３０】
本実施の形態の埋設物カバー体１０によれば、突出部１３によって、周方向中央部の位置を、目視によって容易に把握することができる。埋設物カバー体１０は、埋設物１１を保護するにあたって、前述のように切欠き１２を下部に配置して装着する必要がある。埋設物カバー体１０を装着するとき、作業者は、埋設物カバー体１０を下方から覗き込むことが困難であるが、本発明の埋設物カバー体１０は、切欠き１２と周方向に関して反対側にある突出部１３の位置によって、切欠き１２の位置を含めて、埋設物カバー体１０の姿勢を容易に把握することができる。したがって切欠き１２の位置が下部に配置される埋設物１１を保護するための好適な姿勢で、埋設物カバー体１０を埋設物１１に装着することができる。
【００３１】
また埋設物カバー体１０は、可撓性および弾発性を有する材料から成り、周方向両端部１７，１８を相互に近接および離反するように変形可能であり、２つの埋設物カバー体１０を、一方の埋設物カバー体１０が他方の埋設物カバー体１０に部分的に挿入される状態で容易に連結することができる。このように２つの埋設物カバー体１０を、連結して用いることができる。この場合、内側に配置される一方の埋設物カバー体１０の突出部１３を、外側に配置される他方の埋設物カバー体１０の突出部１３に嵌まり込ませることができる。これによって、２つの埋設物カバー体１０を、周方向に関して容易に位置合せし、かつこの状態からの周方向の変位を阻止することができる。
【００３２】
また２つの埋設物カバー体１０は、いずれか一方をいずれか他方に部分的に挿入して連結された状態で、少なくともこの連結される部分において、埋設物１１を弾発的に挟持することができる。これによって各埋設物カバー体１０を、埋設物１１に対して不所望に変位しないように装着することができる。したがって埋設物１１を保護するために好適な姿勢を維持することができる。また埋設物カバー体１０は埋設物１１と同じまたは埋設物１１よりも柔らかいことが好ましい。これによって埋設物カバー体１０を埋設物１１に対して装着および取外しても、埋設物カバー体１０によって埋設物１１が傷つくことを防止することができる。
【００３３】
また中密度ポリエチレンは、成形が容易であり、再利用が容易である。これによって前述のように埋設物１１を再利用して、資源を無駄にすることなく、かつ容易に、埋設物カバー体１０を製造することができる。またポリエチレンは、焼却しても有毒ガスを発生することがなく、廃棄する場合に廃棄処理が容易になる。またポリエチレンは、塩化ビニールなどに比べて柔らかいのでポリエチレンから成る埋設物１１が傷つくことを防止することができる。また埋設物カバー体１０が塩化ビニールの場合には、埋設物１１に埋設物カバー体１０を装着しやすくするために軸線方向端部を切欠くなどして軸線方向端部を変形しやすく加工する必要がある。埋設物カバー体１０が中密度ポリエチレンなどの柔らかく変形しやすい材料から成ることによって、埋設物１１を装着しやすいように埋設物カバー体１０を別途加工する必要がない。したがって埋設物カバー体１０の製造工程を減らすことができ、製造効率を向上することができる。
【００３４】
また突出部１３の外表面１３ａおよび内表面１３ｂは、滑らかな曲面に形成され、かつ残余の部分１４の外表面１４ａおよび内表面１４ｂに滑らかに連なって形成されるので、突出部１３を有する形状であっても、埋設物１１への装着時などに、外力が働いても、応力が集中することを防止することができる。
【００３５】
図６は、埋設物カバー体１０の性能試験装置３０の概略的構成を示す正面図である。図７は、保持台３１を示す側面図である。図８は、重錐３２を示す図である。本件発明者は、埋設物カバー体１０の埋設物１１を保護する性能を確認するために、性能試験装置３０を用いて性能試験を行った。
【００３６】
性能試験装置３０は、基本的には、試験片３３を保持する保持台３１と、試験片３３に衝突させる重錐３２とを有する。試験は、保持台３１によって、試験片３３を保持するとともに、その試験片３３の内側に、管体３４を試験片３３の上部に当接する状態で保持し、試験片３３から高さＨ１＝１．５ｍだけ上方の位置から、質量４．５ｋｇの重錐３２を自由落下させて、重錐３２の尖頭板状の当接部を試験片３３に衝突させ、管体３４の圧痕深さおよび圧痕率を測定した。案内筒３５は、重錐３２が落下するときに案内して試験片３３に導くための手段であり、ロープ３６は、重錐を３２上方へ引き上げるために用いられる。
表１は、性能試験の結果を示す表である。
【００３７】
【表１】
2004068941.tif 000003
【００３８】
また試験は、埋設物カバー体１０と同様の構成の試験片（表中では「供給管カバー」と表示：実施例品）と、従来の技術の埋設物カバー体１と同様の構成の試験片（表中では「従来品」と表示：第１の比較例品）と、ポリエチレン製の厚さ４ｍｍの半筒体（表中では「４．０ｍｍ半割れ」と表示：第２の比較例品）と、ポリエチレン製の厚さ４．５ｍｍの半筒体（表中では「４．５ｍｍ半割れ」と表示：第３の比較例品）とについて、厚痕深さの測定を行った。ここで実施例品は、上述のように厚さ４ｍｍのポリエチレン製であり、第１の比較例品は、厚さ２．３ｍｍの塩化ビニール製である。管体３４には、埋設物１１と同様の構成のものを用いた。
【００３９】
圧痕深さは、圧痕である凹み傷の深さであり、圧痕率は、管体３４の厚みに対する凹み傷の深さである。実施例品と第１の比較例品との比較から明らかなように、従来の技術に比べて保護性能が高いことが確認できる。また実施例品と第２および第３の比較例品との比較から、本発明のように、外表面１３ａが半径方向外方に凸となり、内表面が半径方向外方に凹となる突出部１３を形成することによって、単なる円筒形状に比べて、上方からの衝撃に対する保護性能を高いことが確認できる。これは、内周面１３ｂが凹となる突出部１３を形成することによって、埋設物カバー体１０を埋設物１１に装着した状態で、埋設物カバー体１０の上部を埋設物１１から離間させることができる。これによって埋設物カバー体１０に上方から物体が衝突するなどして外力が働いても、この外力を埋設物１１に伝わりにくくすることができる。したがって突出部１３によって、埋設物カバー体１０は、高い保護性能を得ることができる。
【００４０】
上述の実施の形態は、本発明の例示に過ぎず、本発明の範囲内において、構成を変更することができる。
【００４１】
【発明の効果】
請求項１記載の本発明によれば、周方向中央部に半径方向外方に突出する突出部が形成され、この突出部によって、周方向中央部の位置を、目視によって容易に把握することができる。これによって埋設物カバー体を埋設物に装着するにあたって、埋設物カバー体の姿勢を容易に把握して、埋設物を保護するための好適な姿勢で埋設物に装着することができる。
【００４２】
また突出部は、外表面が残余の部分に比べて半径方向外方に凸となり、内表面が残余の部分に比べて半径方向外方に凹となる形状に形成されている。これによって２つの埋設物カバー体を、一方の埋設物カバー体が他方の埋設物カバー体に部分的に挿入される状態で連結して用いる場合に、内側に配置される一方の埋設物カバー体の突出部を他方の埋設物カバー体の突出部に嵌まり込ませることができる。これによって、２つの埋設物カバー体を、周方向に関して容易に位置合せし、かつこの状態からの周方向の変位を阻止することができる。
【００４３】
また内周面が凹となる突出部を形成することによって、埋設物カバー体の上部を埋設物から離間させることができる。これによって埋設物カバー体に上方から物体が衝突するなどして外力が働いても、この外力を埋設物に伝わりにくくすることができる。したがって高い保護性能を得ることができる。
【００４４】
請求項２記載の本発明によれば、可撓性および弾発性を有する材料から成り、周方向両端部を相互に近接および離反可能に形成されるので、２つの埋設物カバー体を、一方の埋設物カバー体が他方の埋設物カバー体に部分的に挿入される状態で容易に連結することができる。
【００４５】
請求項３記載の本発明によれば、２つの埋設物カバー体が、いずれか一方をいずれか他方に部分的に挿入して連結された状態で、少なくともこの連結される部分において、埋設物を弾発的に挟持することができる。これによって各埋設物カバー体を、埋設物に対して不所望に変位しないように装着することができる。
【００４６】
請求項４記載の本発明によれば、中密度ポリエチレンから成る。中密度ポリエチレンは、成形が容易であり、再利用が容易である。これによって資源を無駄にすることなく、かつ容易に、埋設物カバー体を製造することができる。またポリエチレンは、焼却しても有毒ガスを発生することがなく、廃棄する場合に廃棄処理が容易になる。
【００４７】
請求項５記載の本発明によれば、突出部の外表面および内表面は、滑らかな曲面に形成され、かつ残余の部分に滑らかに連なって形成されるので、埋設物への装着時などに、外力が働いても、応力が集中することを防止することができる。
【図面の簡単な説明】
【図１】本発明の実施の一形態の埋設物カバー体１０を示す正面図である。
【図２】埋設物カバー体１０を示す平面図である。
【図３】埋設物カバー体１０の埋設物１１への装着状態を簡略化して示す斜視図である。
【図４】図３の切断面線Ｓ４−Ｓ４から見て示す断面図である。
【図５】図３の切断面線Ｓ５−Ｓ５から見て示す断面図である。
【図６】埋設物カバー体１０の性能試験装置３０の概略的構成を示す正面図である。
【図７】保持台３１を示す側面図である。
【図８】重錐３２を示す図である。
【図９】従来の技術の埋設物カバー体１を示す斜視図である。
【符号の説明】
１０　埋設物カバー体
１１　埋設物
１２　切欠き
１３　突出部
１３ａ　突出部の外周面
１３ｂ　突出部の内周面
１４　残余の部分
１７，１８　周方向両端部
【図１】
2004068941.tif 000004
【図２】
2004068941.tif 000005
【図３】
2004068941.tif 000006
【図４】
2004068941.tif 000007
【図５】
2004068941.tif 000008
【図６】
2004068941.tif 000009
【図７】
2004068941.tif 000010
【図８】
2004068941.tif 000011
【図９】
2004068941.tif 000012